(57)【特許請求の範囲】
【請求項１】
体育館等の屋内空間部を複数に間仕切り用、又は球技における防球用として吊り張りし、床面側である弛ませた下端側に滑り止め加工を施した多目的用のネットにおいて、前記ネットが、屋内空間に吊り張りし、床面に接するネット本体と、該ネット本体の床面側で床面に沿って並行で、床面に弛んだ状態で取り付けられ、目的に応じて所望の幅を有する滑り止めネット体から構成され、且つ前記滑り止めネット体がネット本体に着脱自在に取り付けられていることを特徴とする多目的用のネット。
【請求項２】
体育館等の屋内空間部に吊り張りし、床面側である弛ませた下端側に滑り止め加工を施した多目的用のネットをウインチで移動する駆動用ロープに沿って、屋内空間部で開閉移動する多目的用のネットの開閉システムにおいて、前記多目的用のネットを屋内空間部に吊り張りするネット本体と、床面側の滑り止めネット体に分割し、前記ネット本体を駆動用ロープに沿って屋内空間部の天井側より床面に接するように吊り張りした後、該ネット本体の下端側に滑り止めネット体を所望の幅を有して床面に沿って並行で床面に弛んだ状態で取り付けることで屋内空間部を閉塞し、又は滑り止めネット体をネット本体の下端側より取り外した後、ネット本体を駆動用ロープに沿って屋内空間部に収納して屋内空間部を開放することを特徴とする多目的用のネットの開閉システム。
【発明の詳細な説明】
【発明の詳細な説明】
【技術分野】
【０００１】本発明は、屋内空間部で間仕切り用、又は防球用として使用するネットで、特にネットの下端側に滑り止め加工を施した多目的用のネット、及び該多目的用のネットの開閉システムに関する。【０００２】従来、体育館等の屋内空間部を複数に間仕切りする間仕切り用のネットは、屋内空間部の対向する側壁間で吊り張りし、屋内空間部で球技を行う場合に防球用として使用するネットは、屋内空間部の外周に沿って吊り張りし、間仕切り、又は防球効果を高めるために、ネットの床面側を弛ませて形成されている。【０００３】上記弛ませたネットの床面側は、屋内空間部の使用時に踏みつけることが多く、またネットを構成する樹脂のために滑り易く、転倒して怪我の原因となる危険性があった。【０００４】そこで、上記転倒防止のために、ネットの下端側に滑り止め用の加工が施された滑り止め用のネットが提案された（特許第３８４３３４２号）。
【発明が解決しようとする課題】
【０００５】しかしながら、上記滑り止め用のネットは、樹脂製ネットの下端側にゴム性樹脂を塗布して一体的に構成されているために、ゴム性樹脂が剥がれるとネット全体を取り外して再度樹脂加工をしなければならずメンテナンス作業が煩雑であった。
【０００６】また、ネットを水平方向に移動して屋内空間部を開閉する場合は、ネットの下端側が滑り止め用のネットであるために床面をスムーズに移動することができなく、下端側を頻繁に持ち上げる作業を必要とする欠点があった。
【０００７】また、ネットを上下方向に移動して屋内空間部を開閉する場合は、滑り止め用のネット部分が重量をもち、上方収納移動した場合、危険を伴う欠点があった。
【０００８】さらに、上方のネットを折り畳んで収納する場合は、滑り止め用のネット部分が容易に折り畳みできない欠点があった。
【０００９】そこで、本発明は上記課題を解決するものであって、多目的用のネットをスムーズに開閉移動することができ、安全性の高い多目的用のネット、及び該多目的用のネットの開閉システムを提供することを課題とするものである。
【課題を解決するための手段】
【００１０】上記課題を解決する本発明の解決手段としての多目的用のネットは、請求項１に記載のように、体育館等の屋内空間部を複数に間仕切りする間仕切り用、又は球技における防球用として吊り張りし、床面側である弛ませた下端側に滑り止め加工を施した多目的用のネットにおいて、前記ネットが、屋内空間部に吊り張りし、床面に接するネット本体と、該ネット本体の床面側で床面に沿って並行で、床面に弛んだ状態で取り付けられ、目的に応じて所望の幅を有する滑り止めネット体から構成され、且つ滑り止めネット体がネット本体に着脱自在に取り付けられていることを特徴とする。
【００１１】また、解決手段として多目的用のネットの開閉システムは、請求項２に記載のように、体育館等の屋内空間部    空間部の屋に吊り張りし、床面側である弛ませた下端側に滑り止め加工を施した多目的用のネットをウインチで移動する駆動用ロープに沿って、屋内空間部を開閉移動する多目的用のネットの開閉システムにおいて、前記多目的用のネットを屋内空間部に吊り張りするネット本体と、床面側の滑り止めネット体に分割し、前記ネット本体を駆動用ロープに沿って屋内空間部の天井側より床面に接するように吊り張りした後、該ネット本体の下端側に滑り止めネット体を所望の幅を有して床面に沿って並行で床面に弛んだ状態で取り付けることで屋内空間部を閉塞し、又は滑り止めネット体をネット本体の下端側より取り外した後、ネット本体を駆動用ロープに沿って屋内空間部に収納して屋内空間部を開放することを特徴とする。
【発明の作用効果】
【００１２】本発明の多目的用のネット、及び該多目的用のネットの開閉システムの作用効果について説明する。
【００１３】まず、請求項１に記載の多目的用のネットは、体育館等の屋内空間部を間仕切りする間仕切り用として、又は防球用として使用し、屋内空間部に吊り張りするネット本体と、該ネット本体の床面側で床面に沿って並行に取り付けられた滑り止めネット体から構成されている。
【００１４】しかも、滑り止めネット体がネット本体に着脱自在に取り付けられているために、使用目的に応じて、滑り止めネット体の種類、大きさ（幅）、及び取付け位置を自在に設定し、床面側である下端側の弛ませる幅を調整する。
【００１５】このため、安全性の高い滑り止め用のネット体として屋内空間部で使用することができる。
【００１６】また、ネット本体は屋内空間部の吊り張り面積のみに応じて形成でき、従来のように弛ませる部分を計算することなく、容易にその形成作業が行うことができる。
【００１７】また、滑り止めネット体を必要とするネット本体部分のみに取り付けでき、効果的な多目的用のネットを提供することができる。
【００１８】また、滑り止めネット体のみを取り外して多目的用のネットのメンテナンス作業を行うことができる。
【００１９】このように、本発明の多目的用のネットは、屋内空間部に吊り張りするネット本体と滑り止め用の滑り止めネット体が分かれているために、目的に応じた多目的用のネットを設置することができる。
【００２０】次に、請求項２の多目的用のネットの開閉システムは、先ず、体育館等の屋内空間部の間仕切り、又は屋内空間部の防球用としてネット本体を吊り張り方向に応じてウインチで移動する駆動用ロープを架け渡し、該駆動用ロープにネット本体を連結する。
【００２１】そして、駆動用ロープをウインチで移動することでネット本体を移動し、屋内空間部に沿って吊り張りする。
【００２２】その後、前記ネット本体の床面側である下端側に沿って、滑り止め加工を施した、又は滑り止め部材で形成した滑り止めネット体を弛ませた状態で取り付ける。
【００２３】この際、滑り止めネット体は別体で形成されているために、使用目的に最適の滑り止めネット体を選択してネット本体に取り付けできる。
【００２４】これにより、屋内空間部を多目的用のネットで閉塞することができる。
【００２５】このように、屋内空間部にネット本体を吊り張りした後、滑り止めネット体を取り付けることで多目的用のネットを吊り張りできるので、吊り張り時に滑り止めネット体が邪魔にならず吊り張り作業がスムーズに行える。
【００２６】次に、多目的用のネットを収納する場合は、先ず、多目的用のネットを吊り張りした状態で滑り止めネット体のみネット本体の床面側である下端側より取り外す。
【００２７】これにより、ネット本体を駆動用ロープに沿って屋内空間部にスムーズに収納移動することができる。
【００２８】このように、本発明の多目的用のネットの開閉システムは、ネット本体と滑り止めネット体が別体であるために、ネット本体のみを駆動用ロープに沿って移動してスムーズな屋内空間部の開閉を行うことできる。
【発明を実施するための最良の形態】
【００２９】次に、本発明の多目的用のネット、及び該多目的用のネットの開閉システムについて図面を参照して説明する。【００３０】図１は本発明の多目的用のネットを示す概略説明平面図であり、図２は図１の多目的用のネットを示す概略説明側面図であり、図３は、本発明の多目的用のネットの吊り張り状態を示す概略説明側面図であり、図４は本発明の多目的用のネットの他実施例を示す概略説明側面図であり、図５は本発明の多目的用のネットの吊り張り状態の他実施例を示す概略説明平面図であり、図６は本発明の多目的用のネットの開閉システムを示すフローチャートを示す。【００３１】本発明の多目的用のネット１は、屋内空間部に吊り張りするネット本体２と、該ネット本体２の床面側である下端側に取り付けられた滑り止めネット体３から構成されている。【００３２】前記ネット本体２は屋内空間部の天井側より床面側の形状に応じて形成され、床面側は床面に接するか、又はその近傍までの長さに設定し、下端側に滑り止めネット体３を連結する連結用ロープ４が取り付けられている。【００３３】上記のように形成されたネット本体２を屋内空間部の上下方向に沿って開閉する場合は、ネット本体２の上下方向に沿って所望の間隔を有してロープ挿通用の挿通リング体５を直線状に連結用ロープ４を介して取り付け、また、ネット本体２を水平方向に移動する場合は、ネット本体２の上端側にガイド用ロープ７を移動自在に挿通する移動リング体８を取り付ける。【００３４】このため、ネット本体２の形成が容易であり、下端側を弛ませることがない。【００３５】前記滑り止めネット体３は、樹脂製のネットにゴム樹脂、他の樹脂を塗布、又はゴム製樹脂で形成され、前記ネット本体２の下端側近傍で前記連結用ロープ４を介して床面に沿って並行に取り付けられる。【００３６】また、滑り止めネット体３は、ネット本体２の吊り張り時に床面に弛んだ状態で設置され、ネット本体２の下方側の安全性を図ることができる。【００３７】このように、本発明の多目的用のネット１は滑り止めネット体３がネット本体２と別体であるために、ネット本体２を吊り張りした後に使用目的に応じて所望の大きさを有する滑り止めネット体３を取り付けできるので、適切に設置することができる。【００３８】次に、上記多目的用のネット１を用いて、屋内空間部を開閉する場合について説明する。【００３９】先ず、屋内空間部の上下方向に沿って吊り張りする場合は、屋内空間部の上部側吊り張り方向に固定用ロープ１０を架け渡し、ネット本体２の上端側を該固定用ロープ１０に取り付け、その後ネット本体２に取り付けられた移動リング体５の位置に沿ってウインチで移動する複数本の駆動用ロープ１１を引き出し移動してリング体５に挿通し、ネット本体２の下端側で連結する。【００４０】この状態で、ウインチで駆動用ロープ１１を調整し、ネット本体２を屋内空間部に沿って吊り張りするとともに、該ネット本体２の下端側近傍に連結用ロープ４を介して滑り止めネット体３を取り付ける。【００４１】また、多目的用のネット１を固定する錘体（図示せず）は滑り止めネット体３に取り付けることで、錘体の取り付け位置を自在に設定することができる。【００４２】また、滑り止めネット体３の大きさを目的に応じて自在に設定することができ、適切な滑り止め効果を得ることができる。【００４３】これにより、多目的用のネット１を屋内空間部に吊り張りし、空間部を閉塞でき、しかも下方側は滑り止めネット体３によりその部分踏みつけても転倒することなく安全に使用することができる。【００４４】次に、上記吊り張りした多目的用のネット１を収納する場合は、先ず滑り止めネット体３をネット本体２の下端側より取り外し、駆動用ロープ１１をウインチで巻き取り移動することで、ネット本体２のみを屋内空間部の上方に折り畳みながら収納移動し、空間部を開放する。【００４５】このため、滑り止めネット体３に取り付けた錘体を上方に移動することなく安全に収納することができる。【００４６】また、滑り止めネット体３は折り畳んで収納することで、屋内空間部を安全に使用することができる。【００４７】次に、多目的用のネット１を屋内空間部で水平方向に移動する場合は、屋内空間部の上方吊り張り方向に沿ってガイド用ロープ７を架け渡し、該ガイド用ロープ７にネット本体２の上端側に取り付けた挿通リング８を挿通するとともに、前記ガイド用ロープ７の上方で並行に架け渡した駆動用ロープ１１にネット本体２の先端側を連結する。【００４８】次に、ウインチで駆動用ロープ１１をエンドレス状に移動することで、ネット本体２をガイド用ロープ７に沿って水平方向に移動し、ネット本体２の下端側に連結用ロープ４を介して滑り止めネット体３を取り付ける。【００４９】これにより、屋内空間部を多目的用のネット１で閉塞することができる。【００５０】次に、屋内空間部を開放する場合は、ネット本体２の下端側より滑り止めネット体３を取外し、滑り止めネット体３に取り付けた錘体も取り外す。【００５１】その後、ウインチで駆動用ロープ１１を移動することで、ネット本体２を屋内空間部の一方向に収納移動する。【００５２】これにより、屋内空間部を開放することができる。【００５３】このように、本発明の多目的用のネット１は、屋内空間部に吊り張りするネット本体２と、滑り止めネット体３が別体であるために、滑り止めネット体３を取り外して、ネット本体２のみを駆動用ロープ１１で移動することができ、スムーズに移動することができる。【００５４】また、錘等を空間部の上方に移動することなく安全に収納移動することができる。【００５５】尚、上記実施例では前記ネット本体２と滑り止めネット体３を連結用ロープ４で連結したが、本発明において、ネット本体２と滑り止めネット体３の連結はこれに限定するものでなく、例えば、連結リング（図示せず）でネット本体２と滑り止めネット体３とを複数箇所で連結、又は公知の連結手段を用いて連結することも可能である。【００５６】また、上記実施例ではネット本体２を移動する１枚のネットで形成したが、本発明において、ネット本体２の形成はこれに限定するものでなく、例えば、２枚の移動するネットで形成することも可能であり、又は複数枚で形成することも可能である。
【図面の簡単な説明】
【００５７】
【図１】本発明の多目的用のネットを示す概略説明平面図
【図２】図１の多目的用のネットを示す概略説明側面図
【図３】本発明の多目的用のネットの吊り張り状態を示す概略説明側面図
【図４】本発明の多目的用のネットの他実施例を示す概略説明側面図
【図５】本発明の多目的用のネットの吊り張り状態の他実施例を示す概略説明平面図
【図６】本発明の多目的用のネットの開閉システムを示すフローチャート
【符号の説明】
【００５８】１−多目的用のネット、２−ネット本体、３−滑り止めネット体
【要約】
【課題】本発明はネットの開閉移動が容易で、安全性に優れた多目的用のネット、及び該多目的用のネットの開閉システムを提供することを課題とする。
【解決手段】体育館等の屋内空間部を複数に間仕切りする間仕切り用、又は球技における防球用として吊り張りし、下端側に滑り止め加工を施した多目的用のネットにおいて、前記ネットが屋内空間部に吊り張りするネット本体と、該ネット本体の床面側で床面に沿って並行に取り付けられた滑り止め用のネット体から構成され、且つ滑り止め用のネット体がネット本体に着脱自在に取り付けられている。
【選択図】図１【図１】
0005429583.tif 000002
【図２】
0005429583.tif 000003
【図３】
0005429583.tif 000004
【図４】
0005429583.tif 000005
【図５】
0005429583.tif 000006
【図６】
0005429583.tif 000007